(57)【要約】【課題】  充分な明るさ及びコントラストを有する表示画面を筐体の表裏両面に備え、しかも、その筐体の薄型化を図ることのできる携帯型電子機器、或いは、本体と蓋体とを開閉可能に構成してなる携帯型電子機器において、蓋体に配置される両面表示可能な表示体の表示品位を高めることのできる構成を提供する。【解決手段】  本発明の携帯型電子機器１００は、本体１１０と、該本体に対して開閉可能に構成され、その内外両面にそれぞれ表示画面１２０Ａ，１２０Ｂを備えた開閉表示部１２０とを有し、前記開閉表示部に配置され、前記開閉表示部の内外両面の表示画面１２０Ａ，１２０Ｂに共に表示を実現可能に構成された自発光型の単一表示体と、該単一表示体を駆動制御する表示駆動制御部とを備えていることを特徴とする。【選択図】図１
2005227697.tif 000002
【特許請求の範囲】
【請求項１】
本体と、該本体に対して開閉可能に構成され、その内外両面にそれぞれ表示画面を備えた開閉表示部とを有する携帯型電子機器において、
前記開閉表示部に配置され、前記開閉表示部の内外両面の前記表示画面に共に表示を実現可能に構成された自発光型の単一表示体と、該単一表示体を駆動制御する表示駆動制御部とを備えていることを特徴とする携帯型電子機器。
【請求項２】
前記表示駆動制御部は、前記単一表示体に対して、前記開閉表示部の外面に設けられた前記表示画面に表示を行うための外面表示駆動態様と、前記開閉表示部の内面に設けられた前記表示画面に表示を行うための前記外面表示駆動態様とは反転した内面表示駆動態様とを実現可能に構成されていることを特徴とする請求項１に記載の携帯型電子機器。
【請求項３】
前記外面表示駆動態様は、前記開閉表示部が前記本体上に重なり配置された状態で実現され、前記内面表示駆動態様は、前記開閉表示部が前記本体に対して開いた状態で実現されるように構成されていることを特徴とする請求項２に記載の携帯型電子機器。
【請求項４】
前記単一表示体は、透明表示体であることを特徴とする請求項１乃至３のいずれか一項に記載の携帯型電子機器。
【請求項５】
前記単一表示体は、有機エレクトロルミネッセンス表示体であることを特徴とする請求項１乃至４のいずれか一項に記載の携帯型電子機器。
【請求項６】
前記単一表示体は、ドットマトリクス型表示体であることを特徴とする請求項１乃至５のいずれか一項に記載の携帯型電子機器。
【請求項７】
前記表示駆動制御部は、各ドットに接続される複数の横ラインに対して横駆動信号を出力する横ライン駆動部と、各ドットに接続される複数の縦ラインに対して縦駆動信号を出力する縦ライン駆動部と、前記横ライン駆動部若しくは前記縦ライン駆動部の各ラインに対する信号出力態様を反転させて前記外面表示駆動態様と前記内面表示駆動態様とを切り換える駆動態様切替手段とを備えていることを特徴とする請求項６に記載の携帯型電子機器。
【請求項８】
前記本体には前記開閉表示体に接する側に表示画面を有する本体側表示体が配置されていることを特徴とする請求項１乃至７のいずれか一項に記載の携帯型電子機器。
【請求項９】
前記本体に接続された装着バンドを有することを特徴とする請求項１乃至９のいずれか一項に記載の携帯型電子機器。
【請求項１０】
所定の動作機能を有する機能動作部と、該機能動作部の動作状態を検出する状態検出手段と、該状態検出手段の検出結果に応じて前記透明表示体の表示モードを切り換える表示モード切替手段とをさらに有することを特徴とする請求項１乃至９のいずれか一項に記載の携帯型電子機器。
【請求項１１】
前記機能動作部は、外部との通信機能を有する外部通信装置であり、前記動作態様は受信動作であることを特徴とする請求項１０に記載の携帯型電子機器。
【請求項１２】
前記機能動作部は、発電機能を有する発電装置であり、前記動作態様は発電動作であることを特徴とする請求項１０に記載の携帯型電子機器。
【請求項１３】
本体と、該本体に対して開閉可能に構成され、その内外両面にそれぞれ表示画面を備えた開閉表示部とを有する携帯型電子機器の表示制御方法において、
前記開閉表示部に配置され、前記開閉表示部の内外両面の前記表示画面に共に表示を実現可能に構成された自発光型の単一表示体を制御し、
前記開閉表示部の前記本体に対する開閉状態に応じて、前記単一表示体により前記開閉表示体の内面上の前記表示画面において表示を構成する裏側モードと、前記単一表示体により前記開閉表示体の外面上の前記表示画面において表示を構成する表側モードとを切り替えることを特徴とする携帯型電子機器の制御方法。
【請求項１４】
表示画面を備えた本体と、該本体の前記表示画面を覆うように開閉可能に構成され、その内外両面にそれぞれ表示画面を備えた開閉表示部とを有する携帯型電子機器の表示制御方法において、
前記本体に配置され、前記本体の前記表示画面に表示を実現可能に構成された本体側表示体と、前記開閉表示部に配置され、前記開閉表示部の内外両面の前記表示画面に共に表示を実現可能に構成された自発光型の透明表示体とを制御し、
前記開閉表示部が前記本体の前記表示画面を覆う状態にあるとき、前記本体側表示体を制御して前記本体の前記表示画面に表示を形成するとともに、前記透明表示体の少なくとも一部を透明状態にし、前記透明表示体を透して前記本体の前記表示画面が視認されるように構成することを特徴とする携帯型電子機器の制御方法。
【発明の詳細な説明】
【技術分野】
【０００１】
本発明は携帯型電子機器及びその制御方法に係り、特に、表裏両面に表示画面を形成可能な単一表示体を備えた電子機器の構造に関する。
【背景技術】
【０００２】
一般に、表示画面を備えた携帯型電子機器においては、小型化及び薄型化を図るために、液晶表示体などのフラットパネルディスプレイなどと呼ばれる薄型の表示体が用いられている。このような表示体は、通常、電子機器の表面に表示画面を有するように筐体の内部に配置される。ところが、携帯型電子機器では、筐体自体が小さいことから上記表示体の表示面積が制約を受けるため、表示内容が限定され、表示品位（表示の精細度）も低下するという問題点がある。
【０００３】
上記の表示面積の不足を解消するための一つの方法としては、筐体の表裏にそれぞれ表示画面を設ける方法がある。例えば、折りたたみ式の携帯電話では、折り畳み側の筐体の表裏にそれぞれ表示画面を設けている。ただし、この場合には、筐体の内面上に表示画面を構成するための液晶表示体と、外面上に表示画面を構成するための液晶表示体とをそれぞれ筐体内に収容しているため、筐体が厚くなるという欠点がある。
【０００４】
上記の欠点を解決する方法として、以下の特許文献１に記載されているように、本体に対して開閉可能に構成された蓋体に液晶表示体を配置し、この液晶表示体の表裏両面に、反射型表示を視認可能な表示画面と、透過型表示を視認可能な表示画面とを設けることにより、両面表示体を構成する技術が知られている。
【０００５】
また、この特許文献１に記載された表示装置では、本体にも別の表示体が設けられ、本体の内面と蓋体の内面にそれぞれ表示画面を形成している。さらに、特許文献１には、本体に設けられた表示体の表示発光をバックライトとして蓋体に設けられた液晶表示体の透過型表示を実現することも記載されている。
【特許文献１】特開平８−１８４８２１号公報
【発明の開示】
【発明が解決しようとする課題】
【０００６】
しかしながら、前述のように表裏両面に形成した表示画面においてそれぞれ反射型表示と透過型表示とを実現可能に構成された液晶表示体では、表裏両面に表示画面を設ける必要があることから、通常の透過型液晶表示装置のようにバックライトを設けることができないため、表示が暗くなり、視認性が悪いという問題点がある。特に、この液晶表示体は偏光板を有するため、光の利用効率が悪いことから、表示の明るさを充分に確保することが本来的に難しい。
【０００７】
また、上記の液晶表示体では、上述のように表示の明るさが不足している状況に加えて、反射型表示を実現する際には反射板として機能し、透過型表示を実現する際には光透過板として機能する光学フィルタを用いているため、この光学フィルタにおける光損失により表示のコントラストがさらに低下するという問題点がある。
【０００８】
そこで、本発明は上記問題点を解決するものであり、その課題は、充分な明るさ及びコントラストを有する表示画面を筐体の表裏両面に備え、しかも、その筐体の薄型化を図ることのできる携帯型電子機器を提供することにある。また、他の課題は、本体と蓋体とを開閉可能に構成してなる携帯型電子機器において、蓋体に配置される両面表示可能な表示体の表示品位を高めることのできる構成を提供することにある。
【課題を解決するための手段】
【０００９】
斯かる実情に鑑み、本発明の携帯型電子機器は、本体と、該本体に対して開閉可能に構成され、その内外両面にそれぞれ表示画面を備えた開閉表示部とを有する携帯型電子機器において、前記開閉表示部に配置され、前記開閉表示部の内外両面の前記表示画面に共に表示を実現可能に構成された自発光型の単一表示体と、該単一表示体を駆動制御する表示駆動制御部とを備えていることを特徴とする。
【００１０】
この発明によれば、本体と開閉可能に構成された開閉表示部に自発光型の単一表示体を配置することによって、開閉表示部の内外両面にそれぞれ設けられた表示画面に充分な明るさ及びコントラストを与えることができる。また、自発光型の単一表示体を用いるため、開閉表示部の薄型化が容易になる。
【００１１】
ここで、自発光型とは、バックライトやフロントライトなどの照明装置を別途用いることなく表示画素そのものが発光する表示体のタイプを言う。例えば、自発光型の表示体としては、無機エレクトロルミネッセンス表示体、有機エレクトロルミネッセンス表示体、プラズマディスプレイ表示体、電子放出素子を用いた装置（Field Emission Display 及び Surface-Conduction Electron-Emitter Display 等）などの各種の電気光学装置などが挙げられる。また、単一表示体とは、表示構造を表裏いずれにも視認可能とした表示体を言う。したがって、例えば、各表示画素の態様が表裏両面から視認できるものであればよく、単層の表示構造を有するものでも、複層の表示構造を有するものであっても構わない。ただし、複層の表示構造を有するものであっても、２層の表示構造のうち一方の表示構造が表側からのみ視認され、他方の表示構造が裏側からのみ視認されるものは含まれない。このような単一表示体となりうるものとしては、無機エレクトロルミネッセンス表示体、有機エレクトロルミネッセンス表示体などが挙げられる。
【００１２】
より具体的に述べると、本発明の開閉表示部に配置される表示体は、自発光型であることからバックライトなどの照明装置が不要であるとともに、単一表示体であることから表示画素をそのまま表裏両面から視認可能とすることが可能であるため表示体自体の薄型化も容易であることにより、開閉表示部を薄型化できる。一方、自発光型であるために表示の明るさ及びコントラストが確保でき、しかも単一表示体であることから表示画素をそのまま表裏両面から視認可能とすることが可能であるため視認性を高めることができることにより、表示品位を向上させることができる。したがって、表示品位の向上と筐体の薄型化とを高いレベルで同時に実現できるという優れた効果を奏する。
【００１３】
本発明において、前記表示駆動制御部は、前記単一表示体に対して、前記開閉表示部の外面に設けられた前記表示画面に表示を行うための外面表示駆動態様と、前記開閉表示部の内面に設けられた前記表示画面に表示を行うための前記外面表示駆動態様とは反転した内面表示駆動態様とを実現可能に構成されていることが好ましい。通常、その使用態様に応じて開閉表示部の内外両面の表示画面のいずれかを視認することになるが、表示駆動制御部が外面表示駆動態様と、これと反転した内面表示駆動態様とを実現できるため、駆動態様を適宜に切り替えることによっていずれの表示画面でも同様に表示を視認することができる。
【００１４】
本発明において、前記外面表示駆動態様は、前記開閉表示部が前記本体上に重なり配置された状態で実現され、前記内面表示駆動態様は、前記開閉表示部が前記本体に対して開いた状態で実現されるように構成されていることが好ましい。これによれば、表示駆動制御部の駆動態様が開閉表示部の開閉状態に連動して切り替わるため、駆動態様の切り替え操作を要することなく使用できる。この構成としては、例えば、開閉表示部の開閉状態を検出する開閉検出器と、この開閉検出器によって検出された開閉状態に応じて上記の外面表示駆動態様と内面表示駆動態様とを切り替える駆動態様切替手段とを設ける構成が挙げられる。
【００１５】
本発明において、前記単一表示体は、透明表示体であることが好ましい。透明表示体とは、その駆動態様によって実質的に透視可能な程度の透明状態を実現し得る表示体を言う。これによれば、表裏いずれの側にも効率的に光を放出できるため、表示の明るさ及びコントラストをさらに高めることができるとともに、開閉表示部を本体に重なり配置させたときでも、単一表示体を透して本体の内面を視認することができる。特に、本体の内面に別の表示体による表示画面が構成されている場合には、当該表示画面を視認することが可能になるとともに、当該表示画面により表示される内容と単一表示体の表示画面により表示される内容とを重ねて視認することも可能になる。
【００１６】
本発明において、前記単一表示体は、有機エレクトロルミネッセンス表示体であることが好ましい。有機エレクトロルミネッセンス表示体は、自発光型表示体であるとともに、透明パネル構造とすることが容易であり、しかも、そのパネル構造を容易に薄型化できるという利点がある。
【００１７】
本発明において、前記単一表示体は、ドットマトリクス型表示体であることが好ましい。ドットマトリクス型表示体は、各ドット（表示画素）の表示態様を各々独立に制御することにより所望の表示態様を実現するものであるため、表示態様の自由度が大きく、表示内容に制約を受けない点で有利である。このようなドットマトリクス型表示体としては、相互に交差する電極を有するパッシブマトリクス型表示体、各ドット毎にＴＦＴ（薄膜トランジスタ）やＴＦＤ（薄膜ダイオード）などのアクティブ素子を設け、このアクティブ素子を介して表示電極に電界を供給するアクティブマトリクス型表示体が挙げられる。
【００１８】
本発明において、前記表示駆動制御部は、各ドットに接続される複数の横ラインに対して横駆動信号を出力する横ライン駆動部と、各ドットに接続される複数の縦ラインに対して縦駆動信号を出力する縦ライン駆動部と、前記横ライン駆動部若しくは前記縦ライン駆動部の各ラインに対する信号出力態様を反転させて前記外面表示駆動態様と前記内面表示駆動態様とを切り換える駆動態様切替手段とを備えていることが好ましい。これによれば、横ライン駆動部若しくは縦ライン駆動部の信号出力態様（例えば、信号の印加順、或いは、印加される信号配列）を反転させることにより、外面表示駆動態様と内面表示駆動態様とを容易に切り替えることができる。
【００１９】
本発明において、前記本体には前記開閉表示体に接する側に表示画面を有する本体側表示体が配置されていることが好ましい。これによれば、開閉表示体を開いたときに本体の内面上の表示画面によっても表示を視認できるようになる。また、単一表示体を透明表示体としたときには、開閉表示部が閉じた状態（本体に重なり配置された状態）において、透明表示体を透明状態にすることにより開閉表示部を介して本体側表示体の表示画面を透視したり、本体側表示体の表示画面と透明表示体の表示画面とを重ねて視認したりすることも可能になる。
【００２０】
本発明において、単一表示体を透明表示体としたときには、前記表示駆動制御部は、前記開閉表示部が前記本体上に重なり配置された状態で、前記本体側表示体と、前記透明表示体とを共に表示させ、前記透明表示体を透して前記本体側表示体の表示画面の一部を視認可能とする重ね表示駆動態様を実現可能に構成されていることが好ましい。これによれば、本体側表示体の表示画面と、透明表示体の表示画面とを重ねた状態で所定の表示態様を実現することができるので、表示内容の奥行き感が得られるとともに、複雑な表示態様をも実現することが可能になる。
【００２１】
本発明において、前記本体に接続された装着バンドを有することが好ましい。装着バンドによって手首、腕、胴などに装着して携帯することが可能になる。特に、手首や腕に装着可能な腕時計型の装着バンドであることが望ましい。
【００２２】
本発明において、所定の動作機能を有する機能動作部と、該機能動作部の動作状態を検出する状態検出手段と、該状態検出手段の検出結果に応じて前記単一表示体の表示モードを切り換える表示モード切替手段とをさらに有することが好ましい。これによれば、機能動作部の動作状態を検出し、この動作状態に応じて単一表示体の表示モードを切り替えることができる。ここで、前記機能動作部は、外部との通信機能を有する外部通信装置であり、前記動作態様は受信動作である場合、或いは、発電機能を有する発電装置であり、前記動作態様は発電動作である場合などが考えられる。また、表示モードの切替態様としては、表示電力を低減するために非表示としたり表示輝度を低減したりする待機モードと、通常モード（通常の点灯状態、通常の輝度を有する表示モード）との切り替え、通常モード（例えば時刻表示モードなど）と通信状態を表示する通信モードとの切り替えなどが挙げられる。
【００２３】
また、本発明の携帯型電子機器の制御方法は、本体と、該本体に対して開閉可能に構成され、その内外両面にそれぞれ表示画面を備えた開閉表示部とを有する携帯型電子機器の表示制御方法において、前記開閉表示部に配置され、前記開閉表示部の内外両面の前記表示画面に共に表示を実現可能に構成された自発光型の単一表示体を制御し、前記開閉表示部の前記本体に対する開閉状態に応じて、前記単一表示体により前記開閉表示体の内面上の前記表示画面において表示を構成する裏側モードと、前記単一表示体により前記開閉表示体の外面上の前記表示画面において表示を構成する表側モードとを切り替えることを特徴とする。これによって、薄く構成された開閉表示部の内外面の表示画面のそれぞれに充分な明るさ及びコントラストを有する表示を構成することができ、しかも、開閉表示部の開閉状態に応じて表示態様が自動的に切り替えられるので、切替操作などについて何等意識することなく、内外両面の表示画面を用いることが可能になる。
【００２４】
さらに、本発明の別の携帯型電子機器の制御方法は、表示画面を備えた本体と、該本体の前記表示画面を覆うように開閉可能に構成され、その内外両面にそれぞれ表示画面を備えた開閉表示部とを有する携帯型電子機器の表示制御方法において、前記本体に配置され、前記本体の前記表示画面に表示を実現可能に構成された本体側表示体と、前記開閉表示部に配置され、前記開閉表示部の内外両面の前記表示画面に共に表示を実現可能に構成された自発光型の透明表示体とを制御し、前記開閉表示部が前記本体の前記表示画面を覆う状態にあるとき、前記本体側表示体を制御して前記本体の前記表示画面に表示を形成するとともに、前記透明表示体の少なくとも一部を透明状態にし、前記透明表示体を透して前記本体の前記表示画面が視認されるように構成することを特徴とする。これによれば、開閉表示部を本体上に閉じた状態でも本体の表示画面を視認することが可能になるとともに、本体の表示画面と、開閉表示体の外側の表示画面のいずれにもそれぞれ表示を構成し、両画面の重ね合わせによって合成された表示態様を視認できるようにすることも可能になる。
【発明の効果】
【００２５】
本発明によれば、表裏両面に表示画面を有する開閉表示部における表示品位の確保と薄型化とを同時に実現できるという優れた効果を奏し得る。
【発明を実施するための最良の形態】
【００２６】
［第１実施形態］
次に、添付図面を参照して本発明の実施形態について詳細に説明する。図１は、本発明に係る第１実施形態の携帯型電子機器１００の外観を示す概略斜視図である。腕時計の機能を備えた携帯型電子機器１００は、本体１１０と、この本体１１０に対して開閉自在に構成された開閉表示部１２０とを有する。本体１１０と開閉表示部１２０は、ヒンジ部１３０によって回動可能に接続されている。ここで、図１（ａ）は開閉表示部１２０を開いた状態（以下、単に「開放状態」という。）を示し、図１（ｂ）は開閉表示部１２０を閉鎖して折り畳んだ状態、すなわち、開閉表示部１２０が本体１１０に対して重なり配置された状態（以下、単に「閉鎖状態」という。）を示す。
【００２７】
本体１１０には、閉鎖状態で開閉表示部１２０に対向する内面上に表示画面１１０Ａが形成されている。また、本体１１０の側面部には押しボタンなどで構成された外部操作部１１０Ｓが設けられている。なお、本体１１０の内面上に図示点線で示す外部操作部１１０Ｓ′を設けてもよい。本体１１０の両端部には装着バンド１４０が接続されている。この装着バンド１４０は、通常の腕時計などに用いられるバンドと同様のものであり、金属駒を連結させてなる連結体、皮革、人工皮革、プラスチックなどで構成される。
【００２８】
一方、開閉表示部１２０は、閉鎖状態で表面となる外面上に構成された表示画面１２０Ａと、閉鎖状態で本体１１０と対向する内面上に構成された表示画面１２０Ｂとを備えている。表示画面１２０Ａと１２０Ｂとは相互に表示面積や画面形状が異なっていてもよいが、これらの画面は後述する単一の表示体で構成されるため、表示面積及び画面形状が完全に同一であることにより、表示面積を最大にすることができる。
【００２９】
図２は、携帯型電子機器１００の拡大側面図である。本体１１０内には、上記表示画面１１０Ａを構成する本体側表示体１１１と、時計回路などの半導体回路素子や水晶振動子その他の電子部品などを実装してなる回路基板１１２と、電源電池とが内蔵されている。本体側表示体１１１は、液晶表示体やエレクトロルミネッセンス表示体その他の各種の電気光学装置などで構成される。自発光型の表示体ではない液晶表示体で構成される場合には、バックライトなどの照明装置を備えていることが好ましい。本体側表示体１１１は、回路基板１１２に直接実装されていることが、本体１１０をコンパクトに構成する上で望ましい。
【００３０】
また、開閉表示部１２０には、上記表示画面１２０Ａ及び１２０Ｂを構成する単一表示体１２１が内蔵されている。この単一表示体１２１は、相互に独立して表示態様を制御可能な複数の表示画素（ドット）が表裏両側から視認可能に構成されたものである。また、この単一表示体１２１は、少なくとも所定の駆動状態で反対側が透視可能な状態とすることのできる透明表示体である。この場合、透明度は、可視光領域の平均透過率が３５％以上であることが好ましく、５０％以上であることが望ましい。さらに、単一表示体１２１は、自発光型の表示体であり、表示体の表示画素が自ら発光するものであって、外部からの照明光を必要としない表示体である。
【００３１】
図３は、単一表示体１２１の構成例の一部を拡大して示す拡大部分断面図である。この単一表示体１２１は有機エレクトロルミネッセンス表示体で構成した例を示すものである。透明基板１２１１、透明陽極１２１２、絶縁層１２１３、正孔注入層／有機発光層１２１４、電子輸送層としても機能する陰極１２１５、配線抵抗を低減するための補助配線１２１５′、封止剤１２１６及び封止基板１２１７が順に積層された透明パネルとして構成されている。透明基板１２１１及び封止基板１２１７は、ガラスやプラスチックなどで構成することができ、フレキシブルな材料で構成することもできる。透明陽極１２１２はＩＴＯ（インジウムスズ酸化物）やＩＺＯ（インジウム亜鉛酸化物）等の透明導電体で構成される。陰極１２１４は、電子注入を良好にするためにカルシウム薄膜、マグネシウム薄膜、アルミニウム薄膜などの低仕事関数の金属薄膜によって形成される。
【００３２】
正孔注入層／有機発光層としては、例えば、Ｂａｙｔｒｏｎ  Ｐ（バイエル社商標ＶＰＡｌ  ４０８３）等の導電性高分子を成膜し、その上に発光色に対応したポリフルオレン系ヤポリパラフェニレンビニレン系などのπ共役を有する発光性高分子を積層した構成を用いることができる。
【００３３】
単一表示体１２１は、ドット毎に異なる発光色（例えば、赤、緑、青）を有する正孔注入層／有機発光層１２１４を、カラーフィルタなどと同様の所定の配列パターン（ストライプ配列、デルタ配列、斜めモザイク配列など）で配列させることによってカラー表示が可能になる。また、上記のような単層構造ではなく、複数の透明パネルを積層させてなる多層構造としてもよい。この場合、各層の発光色を相互に異ならせれば（例えば、赤、緑、青など）、複数層の点等状態の組み合わせや輝度調整などを行うことによってカラー表示が可能になる。この場合、複層の透明パネルが積層された表示体構造は、各層の表示画素がそれぞれ表裏いずれの側からも視認される構成となるので、本発明の単一表示体に該当する。
【００３４】
なお、上記の発光色を得るためには以下に挙げるような発光物質（蛍光物質）を用いることができる。例えば、赤色の発光色を有するものとしては、ローダミン、ＤＣＭの誘導体などが挙げられる。緑の発光色を有するものとしては、キナクドリン、クマリン６などが挙げられる。青色の発光色を有するものとしてはベリレンなどが挙げられる。
【００３５】
図４は、本体側表示体１１１の構成例を模式的に示す縦断面図である。この本体側表示体１１１は、偏光板を備え、ネマチック液晶を用いたＴＮ若しくはＳＴＮ型の液晶表示体である。この液晶表示体１１１は、ガラスやプラスチックなどで構成される透明基板１１１１と１１１２とをシール材１１１３を介して貼り合せてなるパネル構造を備えている。透明基板１１１１の内面上には透明電極１１１４及び配向膜１１１５が順次積層され、透明基板１１１２の内面上には透明電極１１１６及び配向膜１１１７が順次積層されている。透明基板１１１１と１１１２の間には液晶１１１８が封入されている。また、透明基板１１１１，１１１２の外面上には偏光板１１１９Ａ，１１１９Ｂが配置される。
【００３６】
上記の本体側表示体１１１は、透過型液晶表示体、反射型液晶表示体、半透過反射型液晶表示体のいずれであっても構わないが、図示例の場合には透過型液晶表示体若しくは半透過反射型表示体として構成され、その背後にはバックライトである照明装置１１３が配置されている。この照明装置１１３は、ＬＥＤ（発光ダイオード）などで構成される光源１１３１と、アクリル樹脂などで構成される導光板１１３２と、導光板１１３２の背後に配置される反射板１１３３とを有する。また、導光板１１３２の液晶表示体１１１側には、拡散板１１３４や集光板１１３５が配置されることが好ましい。
【００３７】
図５は、本実施形態の内部のハード構成を模式的に示す概略構成ブロック図である。この携帯型電子機器１００は、全体の制御を行う中央制御部１００Ｘを備えている。この中央制御部１００Ｘは、ＣＰＵ（中央演算ユニット）、メモリ、内部バス及び入出力回路などを備えたＭＰＵ（マイクロプロセッサユニット）などで構成される。中央制御部１００Ｘは、メモリなどに格納された制御プログラムを実行することによって、以下に説明する各部を制御するように構成されている。
【００３８】
中央制御部１００Ｘには、発振回路、分周回路、カウンタ回路などを備えた計時回路部１００Ｙが接続され、所定の時刻データを中央制御部１００Ｘに出力するようになっている。また、中央制御部１００Ｘには上記の外部操作部１１０Ｓと、上記の開閉表示部１２０の開閉状態を検出する開閉検出器１００Ｔとが接続されている。この開閉検出器１００Ｔは、例えば、本体１１０と開閉表示部１２０とが折り重なったときに押圧されるように構成された押圧式スイッチや、ヒンジ部１３０に内蔵された回転式スイッチなどで構成できる。
【００３９】
また、中央制御部１００Ｘは、表示駆動制御部１１１Ｄ，１２１Ｄ及び照明装置１１３に接続されている。表示駆動制御部１１１Ｄは、中央制御部１００Ｘの制御信号に応じて上記本体側表示体１１１に駆動信号を出力する。照明装置１１３は、中央制御部１００Ｘの制御信号に応じて点灯と非点灯が切り替えられ、また、点灯時の光出力が制御される。表示駆動制御部１２１Ｄは、中央制御部１００Ｘの制御信号に応じて上記単一表示体１２１に駆動信号を出力する。
【００４０】
本実施形態においては、通信制御部１００Ｚを設けることができる。この通信制御部１００Ｚは、少なくとも受信回路を含み、受信データを中央制御部１００Ｘに送出する。また、受信回路にて受信した信号を所定のプロトコルに従って変換する受信データ変換回路を設けてもよい。さらに、送信回路や送信データ変換回路を設けてもよい。この通信制御部１００Ｚは、例えば、時刻データを送信する送信局から送られる電波を受信するによって時刻修正を行う電波時計機能を実現するものとすることができ、また、携帯電話回線網を用いる無線電話機能を実現するものとすることもできる。通信制御部１００Ｚは、電波が受信されると、着信信号を中央制御部１００Ｘに出力し、その後、受信データを中央制御部１００Ｘに送出する。
【００４１】
本実施形態においては、太陽電池、或いは、回転錘などの可動錘を備えた小型発電機などで構成される発電装置１００Ｗを設けることができる。この発電装置１００Ｗは、発電した電力を図示しない２次電池や大容量キャパシタなどで構成される蓄電手段に供給する。光が太陽電池に照射されたり、可動錘が揺動したりするなどによって発電が行われると、発電装置１００Ｗは中央制御部１００Ｘに発電状態を知らせるための発電信号を出力する。
【００４２】
図６は、表示駆動制御部１２１Ｄの回路構成を模式的に示す概略構成図である。表示駆動制御部１２１Ｄは、表示信号生成回路１２１ｄ１と、表示信号生成回路１２１ｄ１と同期して動作する走査線制御回路１２１ｄ２と、走査線制御回路１２１ｄ２の制御信号によって動作する走査線駆動回路１２１ｄ３とを備えている。ここで、走査線Ｓ１，Ｓ２，Ｓ３，・・・，Ｓｎは、図示例において単一表示体１２１の上記横ラインに相当し、上記の各回路は上記横ライン駆動部に相当し、走査線駆動回路１２１ｄ３から出力される走査信号は上記横駆動信号に相当する。
【００４３】
また、表示信号生成回路１２１ｄ１はデータ線制御回路１２１ｄ４に画像データを出力し、データ線制御回路１２１ｄ４は、画像データに対応した制御信号をデータ線駆動回路１２１ｄ５に出力する。データ線駆動回路１２１ｄ５は単一表示体１２１のデータ線Ｄ１，Ｄ２，Ｄ３，・・・，Ｄｍに対して、上記走査線Ｓ１，Ｓ２，Ｓ３，・・・，Ｓｎのいずれかが選択される毎にデータ信号を出力する。ここで、データ線は上記縦ラインに相当し、上記の各回路は上記縦ライン駆動部に相当し、データ信号は上記縦駆動信号に相当する。
【００４４】
切替回路１２１ｄ６は、開閉検出器１００Ｔの検出信号に基づいて上記中央制御部１００Ｘから出力される制御信号に応じて、切替信号を走査線駆動回路１２１ｄ３に出力する。走査線駆動回路１２１ｄ３は、この切替信号に応じて走査線Ｓ１，Ｓ２，Ｓ３，・・・Ｓｎの走査順を反転させるように構成されている。例えば、通常の走査手順が走査線Ｓ１，Ｓ２，Ｓ３，・・・，Ｓｎの順で走査を行うものとすれば、切替信号が反転することによって、走査線Ｓｎ，Ｓｎ−１，Ｓｎ−２，Ｓｎ−３，・・・，Ｓ１の順で走査が行われる。これによって、単一表示体１２１の表示画面１２０Ａ，１２０Ｂには、図示上下方向に反転した画像が表示される。例えば、図１（ａ）に示す表示画面１２０Ｂに正立像が表示されるときには、図１（ｂ）に示す表示画面１２０Ａには倒立像が表示されるが、上記切替信号を反転させることによって表示画像を上下反転させることができるため、表示画面１２０Ａに正立像を表示することができるようになる。
【００４５】
図７は、上記表示駆動制御部１１１Ｄの回路構成を模式的に示す概略構成図である。表示駆動制御部１１１Ｄは、表示信号生成回路１１１ｄ１と、表示信号生成回路１１１ｄ１と同期して動作する走査線制御回路１１１ｄ２と、走査線制御回路１１１ｄ２の制御信号によって動作する走査線駆動回路１１１ｄ３とを備えている。また、表示信号生成回路１１１ｄ１はデータ線制御回路１１１ｄ４に画像データを出力し、データ線制御回路１１１ｄ４は、画像データに対応した制御信号をデータ線駆動回路１１１ｄ５に出力する。データ線駆動回路１１１ｄ５は本体側表示体１１１のデータ線Ｄ１，Ｄ２，Ｄ３，・・・，Ｄｍに対して、上記走査線Ｓ１，Ｓ２，Ｓ３，・・・，Ｓｎのいずれかが選択される毎にデータ信号を出力する。
【００４６】
図８は、本実施形態の中央制御部１００Ｘにて動作する制御プログラムの動作手順を示す概略フローチャートである。制御プログラムが実行されると、ステップＳ１において開閉表示部１２０の開閉状態を検出する。この開閉状態の検出は、図５に示す開閉検出器１００Ｔの検出信号の状態を見ることにより行われる。ここで、開閉表示部１２０が閉鎖状態にあるときには、ステップＳ２においてトリガ信号の有無を確認する。
【００４７】
このトリガ信号は、上記の通信制御部１００Ｚからの着信信号、発電装置１００Ｗからの発電信号、外部操作部１１０Ｓからの操作信号などであり、これらが中央制御部１００Ｘに出力されると、トリガ信号が生成されたものとする。トリガ信号が発生していなければ、ステップＳ３において開閉表示部１２０の外面に設けられた表示画面１２０Ａは非表示状態（節電モード）となる。トリガ信号が発生すれば、ステップＳ４において表示画面１２０Ａは表示状態となり、単一表示体１２１が点灯し、トリガ信号の内容に応じた表示、例えば、上記の着信信号であれば着信状態若しくは通信状態の表示、上記の発電信号であれば発電状態若しくは充電状態の表示、上記の操作信号であれば操作内容に応じた表示、が適宜表示画面１２０Ａに現れる。なお、この表示画面１２０Ａの表示は、単一表示体１２１を表側モード、すなわち表示画面１２０Ａで視認したときに正常に表示が視認される態様で行われる。
【００４８】
ここで、上記のように表示画面１２０Ａが非表示状態にあるときには、上記単一表示体１２１の全面を透明状態とした上で、図示破線で示すステップＳ８において本体側表示体１１１を駆動して表示画面１１０Ａを表示状態にすることができる。このようにすると、透明状態にある単一表示体１２１を透して表示画面１１０Ａを視認することが可能になる。また、表示画面１２０Ａを表示状態にするときにおいても、その一部を透明状態にすることができるので、ステップＳ８において本体側表示体１１１を駆動して表示画面１１０Ａに所定の表示を行うことにより、この表示画面１１０Ａの表示と、表示画面１２０Ａの表示とを重ねて視認できるようにすることができる。
【００４９】
一方、ステップＳ１において開閉表示部１２０が開放状態にあるときには、ステップＳ５において単一表示体１２１が裏側モードで駆動され、所定の表示が行われる。この裏側モードでは、表示画面１２０Ｂで視認したときに正常に表示が視認される態様で単一表示体１２１が駆動される。ここで、表側モードと裏側モードは、中央制御部１００Ｘの制御信号により図６に示す切替回路１２１ｄ６から出力される切替信号を用いて単一表示体１２１の表示態様を反転させることにより相互に切り替えられる。また、ステップＳ６において、本体１１０の本体側表示体１１１が駆動され、表示画面１１０Ａに所定の表示がなされる。
【００５０】
その後、ステップＳ７において外部操作部１１０Ｓなどから動作停止の操作信号が出力されていないか否かが確認され、当該信号が出力されていなければ再び上記のステップＳ１に戻る。動作停止の操作信号が出力されている場合には、制御プログラムは終了する。
【００５１】
図９は、上記の中央制御部１００Ｘにより実行される制御プログラムにより実現される機能実現手段の構成を示す機能ブロック図である。中央制御部１００Ｘとともに開閉検出器１００Ｔ、外部操作部１１０Ｓ、通信制御部１００Ｚ、発電装置１００Ｗなどの構成を含む状態検出手段Ｆ１が各部の状態、例えば、開閉表示部１２０の開閉状態、外部操作部１１０Ｓの操作状態、通信制御部１００Ｚの着信状態、発電装置１００Ｗの発電状態などを検出する。そして、この検出された各部の状態に応じて表示モード切替手段Ｆ２が表示モードの切替を行う。この表示モード切替手段Ｆ２は、上記の節電モードと表示モードとの切替、単一表示体の表側モードと裏側モードの切替、表示内容の種類に対応した各種のモードの切替などを行う。
【００５２】
この表示モード切替手段Ｆ２は、上記の表示信号生成回路１２１ｄ１などを含む表示信号送出手段Ｆ３、及び、上記の切替回路１２１ｄ６などを含む駆動態様切替手段Ｆ４にモード切替信号を出力する。表示信号送出手段Ｆ３は、上記モード切替信号に応じた表示信号を上記のデータ線駆動回路１２１ｄ５などを含むデータ線駆動手段Ｆ５に送出し、同期信号などを上記の走査線駆動回路１２１ｄ３などを含む走査線駆動手段Ｆ６に送出する。また、駆動態様切替手段Ｆ４は、上記のモード切替信号に応じた駆動切替信号を上記の走査線駆動手段Ｆ６に送出し、走査線駆動手段Ｆ６の走査方向を適宜に反転させる。
【００５３】
以上説明した本実施形態において、図１（ａ）に示す開放状態では、単一表示体１２１が裏側モードで駆動され、これにより表示画面１２０Ｂに正常な表示が実現され、図１（ｂ）に示す閉鎖状態では、単一表示体１２１が表側モードで駆動され、これにより表示画面１２０Ａに正常な表示が実現される。ここで、裏側モードと表側モードでは、単一表示体１２１の表示態様が上下に反転した状態となる。
【００５４】
このとき、単一表示体１２１は自発光型の表示体であるので、バックライトなどの照明装置が不要であり、また、その表示構造が表裏両側から視認できるように構成されているために薄型化でき、しかも、表示の明るさやコントラストを充分に確保できる。
【００５５】
また、単一表示体１２１は透明表示体であるので、閉鎖状態において単一表示体１２１を透して本体側表示体１１１の表示画面１１０Ａを視認することができる。特に、表示画面１１０Ａと表示画面１２０Ａとによって２つの表示態様を重ねて視認することも可能である。また、表示画面１１０Ａに背景画像を表示することによって、表示画面１２０Ａとは別に背景パターンや背景の明るさを自由に設定することができるので、閉鎖状態における表示態様のバリエーションを増大することができ、或いは、表示の視認性を向上させることができる。
【００５６】
例えば、上記図９に示す表示モード切替手段Ｆ２によって表示信号送出手段Ｆ３を制御することにより、表示信号送出手段Ｆ３により本体側表示体１１１のデータ線駆動手段Ｆ７及び走査線駆動手段Ｆ８をも並行して制御することにより、単一表示体１２１と同時に本体側表示体１１１も点灯させることができる。この場合、本体側表示体１１１によって構成される表示画面１１０Ａの表示内容と、単一表示体１２１によって構成される表示画面１２０Ａの表示内容とが相互に関連するように構成できる。これによって、内外両表示画面によって重ねられた表示内容を視認できるように構成できる。
【００５７】
上記実施形態では、単一表示体１２１を透明表示体として構成したが、透明表示体でなくても、表示画素が表裏両面から視認できるものであればよい。例えば、各表示画素が不透明な淡色（白色）と濃色（黒色）のいずれかに切替可能に構成されているが、各表示画素のいずれもが表裏両面から同様に視認できる表示体が挙げられる。この場合には、透明状態を構成することができないので、上記のように単一表示体１２１を透して本体側表示体を透視することはできないが、その他の機能については上述と同様である。
【００５８】
［第２実施形態］
図１０は、上記第１実施形態とは異なる第２実施形態である携帯型電子機器２００の外観を示す概略斜視図である。ここで、図１０（ａ）は本体２１０に対して開閉表示部２２０が開いた状態（開放状態）を示し、図１０（ｂ）は開閉表示部２２０が閉じた状態（閉鎖状態）を示す。なお、以下において説明しない部分については、上記第１実施形態と同様に構成されているものとする。
【００５９】
この実施形態は、本体２１０と、この本体２１０に対して開閉可能に構成された開閉表示部２２０とを有する点で先の第１実施形態と同様であるが、本体２１０と開閉表示部２２０とを回動可能に連結するヒンジ部２３０が本体２１０及び開閉表示部２２０の側面に設けられ、本体２１０に対して開閉表示部２２０が側方に開くように構成されている点で先の第１実施形態とは異なる。なお、本実施形態でも本体２１０の両端部には装着バンド２４０が接続されている。この実施形態では、ヒンジ部２３０は、本体２１０における装着バンド２４０に接続された端部とは異なる側部に設けられている。
【００６０】
また、本体２１０の内面に表示画面２１０Ａが設けられている点、及び、開閉表示部２２０の外面には表示画面２２０Ａが設けられているとともに開閉表示部２２０の内面には表示画面２２０Ｂが設けられている点、並びに、本体２１０内に本体側表示体２１１が配置され、開閉表示部２２０内に単一表示体２２１が配置されている点では先の第１実施形態と同様である。
【００６１】
図１１は、本実施形態に用いることのできる単一表示体２２１の一部を拡大して示す拡大部分断面図である。なお、この単一表示体２２１は第１実施形態の単一表示体１２１と同様の透明表示体であり、また、有機エレクトロルミネッセンス表示体でもある。ここで、以下に説明する単一表示体２２１は上記の第１実施形態にも用いることができ、また、上記第１実施形態の単一表示体１２１をこの実施形態に用いることもできる。
【００６２】
単一表示体２２１は、透明基板２２１１、透明陽極２２１２、絶縁層２２１３、正孔注入層／発光層２２１４、陰極２２１５、補助配線２２１５′、封止剤２２１８及び封止基板２２１９が積層されている点で上記の単一表示体１２１と同様である。この単一表示体２２１では、陰極２２１５の上に絶縁層２２１６が形成され、この絶縁層２２１６の上に、透明度の補正を行うための補正層２２１７が部分的に形成されている。この補正層２２１７は、陰極２２１５と同様の光透過特性を有する素材で構成される。例えば、補正層２２１７は、陰極２２１５と同一素材で同一の厚さとなるように形成される。このとき、上記の絶縁層２２１６は、陰極２２１５と補正層２２１７との間の電気的短絡を防止する絶縁体として機能する。そして、補正層２２１７は、陰極２２１５が形成されている領域以外の領域に形成される。すなわち、陰極２２１５が形成されている領域の平面パターンと、補正層２２１７が形成されている領域の平面パターンとは相互に反転したパターン形状となっている。
【００６３】
この単一表示体２２１においては、陰極２２１５が形成されていない領域において補正層２２１７が形成されているので、透明パネル構造における陰極２２１５の形成領域と、それ以外の領域との光透過特性を近似したものとすることができるため、パネル全面に亘って透明度が均一化される。これによって、単一表示体２２１の表示画面の外観や表示品位を向上させることができ、また、単一表示体２２１を介して表示画面２１０Ａを透視する場合でも、表示画面２１０Ａの視認性を向上させることができる。
【００６４】
図１２は、第２実施形態の単一表示体２２１の表示駆動制御部２２１Ｄの回路構成を模式的に示す概略構成図である。表示駆動制御部２２１Ｄは、表示信号生成回路２２１ｄ１と、表示信号生成回路２２１ｄ１と同期して動作する走査線制御回路２２１ｄ２と、走査線制御回路２２１ｄ２の制御信号によって動作する走査線駆動回路２２１ｄ３とを備えている。ここで、走査線Ｓ１，Ｓ２，Ｓ３，・・・Ｓｎは、図示例において単一表示体２２１の上記横ラインに相当し、上記の各回路は上記横ライン駆動部に相当し、走査線駆動回路２２１ｄ３から出力される走査信号は上記横駆動信号に相当する。
【００６５】
また、表示信号生成回路２２１ｄ１はデータ線制御回路２２１ｄ４に画像データを出力し、データ線制御回路２２１ｄ４は、画像データに対応した制御信号をデータ線駆動回路２２１ｄ５に出力する。データ線駆動回路２２１ｄ５は単一表示体２２１のデータ線Ｄ１，Ｄ２，Ｄ３，・・・，Ｄｍに対してデータ信号を出力する。ここで、データ線は上記縦ラインに相当し、上記の各回路は上記縦ライン駆動部に相当し、データ信号は上記縦駆動信号に相当する。
【００６６】
切替回路２２１ｄ６は、上記第１実施形態と同様の中央制御部からの制御信号に応じて切替信号をデータ線駆動回路２２１ｄ５に出力する。データ線駆動回路２２１ｄ５は、切替信号に応じてデータ線Ｄ１，Ｄ２，Ｄ３，・・・Ｄｍの出力の配列を反転させるように構成されている。例えば、通常のデータ線Ｄ１，Ｄ２，Ｄ３，・・・，Ｄｍに供給される各駆動信号の配列は、切替信号が反転することによって、データ線Ｄｍ，Ｄｍ−１，Ｄｍ−２，・・・，Ｄ１のように左右反転した配列態様で供給される。これによって、単一表示体２２１の表示画面２２０Ａ，２２０Ｂには、図示左右方向に反転した画像が表示される。例えば、図１０（ａ）に示す表示画面２２０Ｂに所定の画像が表示されるときには、図１０（ｂ）に示す表示画面２２０Ａには上記所定の画像に対して左右反転した画像が表示されるが、上記切替信号を反転させることによって表示画像を左右反転させることにより、表示画面１２０Ａには上記の所定の画像が表示されるようになる。
【００６７】
図１３は、第２実施形態の機能実現手段の構成を示す機能ブロック図である。状態検出手段Ｆ１は、外部操作部２２０Ｓ、或いは、第１実施形態と同様の開閉検出器、通信制御部、発電装置などに相当する構成を含み、各部の状態、例えば、開閉表示部２２０の開閉状態、外部操作部２２０Ｓの操作状態、通信制御部の着信状態、発電装置の発電状態などに相当する状態を検出する。そして、この検出された状態に応じて表示モード切替手段Ｆ１２が表示モードの切替を行う。
【００６８】
この表示モード切替手段Ｆ１２は、上記の表示信号生成回路２２１ｄ１などを含む表示信号送出手段Ｆ１３、及び、上記の切替回路２２１ｄ６などを含む駆動態様切替手段Ｆ１４にモード切替信号を出力する。表示信号送出手段Ｆ１３は、上記モード切替信号に応じた表示信号を上記のデータ線駆動回路２２１ｄ５などを含むデータ線駆動手段Ｆ１５に送出し、同期信号などを走査線駆動手段Ｆ１６に送出する。また、駆動態様切替手段Ｆ１４は、上記のモード切替信号に応じた駆動切替信号を上記のデータ線駆動手段Ｆ１５に送出し、データ線駆動回路２２１ｄ５のデータ線Ｄ１，Ｄ２，Ｄ３，・・・Ｄｍへのデータ信号の供給態様の配列順を左右反転させる。すなわち、データ線Ｄ１，Ｄ２，Ｄ３，・・・Ｄｍにそれぞれ供給していた電位を、データ線Ｄｍ，Ｄｍ−１，Ｄｍ−２，・・・Ｄ１にそれぞれ供給する。ここで、走査線駆動手段Ｆ１６の走査方向は一定である。
【００６９】
この実施形態でも、表示モード切替手段Ｆ１２によって表示信号送出手段Ｆ１３を制御することにより、表示信号送出手段Ｆ１３により本体側表示体２１１のデータ線駆動手段Ｆ１７及び走査線駆動手段Ｆ１８をも並行して制御することにより、単一表示体２２１と同時に本体側表示体２１１も点灯させることができる。この場合、本体側表示体２１１によって構成される表示画面２１０Ａの表示内容と、単一表示体２２１によって構成される表示画面２２０Ａの表示内容とが相互に関連するように構成できる。これによって、内外両表示画面によって重ねられた表示内容を視認できるように構成できる。
【００７０】
尚、本発明の携帯型電子機器は、上述の図示例にのみ限定されるものではなく、本発明の要旨を逸脱しない範囲内において種々変更を加え得ることは勿論である。例えば、上記各実施形態においては、単一表示体がドットマトリクス構造を有するものである場合について説明したが、種々の形状を有するセグメントタイプの表示画素構造を有するものであってもよい。また、駆動構造及び駆動方法としてはアクティブマトリクス駆動であっても、パッシブマトリクス（単純マトリクス）駆動であってもよい。
【００７１】
本発明の携帯電子機器は、上述した腕時計機能を有する腕時計型機器以外のどのような機器でもよく、例えば携帯電話、ＰＤＡ、ノート型パソコン、デジタルカメラ、携帯型翻訳機または通訳機、携帯型ナビゲーション機器、等を含む。更には、携帯型電子機器以外であってもよく、例えば携帯型以外のパソコン、据置型電話機、等の電子機器にも適用することができる。
【図面の簡単な説明】
【００７２】
【図１】本発明に係る第１実施形態の外観を示す概略斜視図（ａ）及び（ｂ）。
【図２】第１実施形態の本体部分を示す拡大部分側面図。
【図３】第１実施形態の単一表示体の構造を示す拡大部分断面図。
【図４】第１実施形態の本体側表示体の構造を模式的に示す概略構成断面図。
【図５】第１実施形態の内部構成を模式的に示す概略構成ブロック図。
【図６】第１実施形態の単一表示体の表示駆動制御部の構成を模式的に示す概略構成図。
【図７】第１実施形態の本体側表示体の表示駆動制御部の構成を模式的に示す概略構成図。
【図８】第１実施形態の動作手順を示す概略フローチャート。
【図９】第１実施形態の機能実現手段の構成を示す概略ブロック図。
【図１０】第２実施形態の外観を示す概略斜視図（ａ）及び（ｂ）。
【図１１】第２実施形態の単一表示体の構造を示す拡大部分断面図。
【図１２】第２実施形態の単一表示体の表示駆動制御部の構成を模式的に示す概略構成図。
【図１３】第２実施形態の単一表示体の表示駆動制御部の構成を模式的に示す概略構成図。
【符号の説明】
【００７３】
１００…携帯型電子機器、１００Ｘ…中央制御部、１００Ｙ…計時回路部、１００Ｚ…通信制御部、１００Ｗ…発電装置、１００Ｔ…開閉検出器、１１０…本体、１１０Ａ，１２０Ａ，１２０Ｂ…表示画面、１１１…本体側表示体、１１２…回路基板、１２０…開閉表示部、１２１…単一表示体、１２１Ｄ…表示駆動制御部、ｄ１２１１…表示信号生成回路、１２１ｄ２…走査線制御回路、１２１ｄ３…走査線駆動回路、ｄ１２１４…データ線制御回路、１２１ｄ５…データ線駆動回路、１２１ｄ６…切替回路、１３０…ヒンジ部、１４０…装着バンド、Ｆ１…状態検出手段、Ｆ２…表示モード切替手段、Ｆ３…表示信号送出手段、Ｆ４…駆動態様切替手段、Ｆ５…データ線駆動手段、Ｆ６…走査線駆動手段
【図１】
2005227697.tif 000003
【図２】
2005227697.tif 000004
【図３】
2005227697.tif 000005
【図４】
2005227697.tif 000006
【図５】
2005227697.tif 000007
【図６】
2005227697.tif 000008
【図７】
2005227697.tif 000009
【図８】
2005227697.tif 000010
【図９】
2005227697.tif 000011
【図１０】
2005227697.tif 000012
【図１１】
2005227697.tif 000013
【図１２】
2005227697.tif 000014
【図１３】
2005227697.tif 000015